(57)【特許請求の範囲】
【請求項１】
被写体を撮像して画像データを取得するデジタルカメラにおいて、
操作者が操作指示を与えるための操作手段と、
表示部の表示内容を制御する制御手段と、を備え、
前記制御手段は、前記操作手段の操作内容に従って順次対応するシンボルを前記表示部に表示するとともに、当該操作内容の順番を記憶することを特徴とするデジタルカメラ。
【請求項２】
請求項１に記載のデジタルカメラにおいて、
前記制御手段は、操作者の指示に応じて、前記記憶した操作内容の順番で操作を実行することを特徴とするデジタルカメラ。
【請求項３】
請求項２に記載のデジタルカメラにおいて、
前記制御手段は、操作者により、前記表示部に表示されたシンボルのうち開始のシンボルが指定された場合には、当該開始が指定されたシンボルに対応する操作以降の操作を順番に実行することを特徴とするデジタルカメラ。
【請求項４】
請求項２に記載のデジタルカメラにおいて、
前記制御手段は、操作者により、前記表示部に表示されたシンボルのうち終了のシンボルが指定された場合には、当該終了が指定されたシンボルに対応する操作までの操作を順番に実行することを特徴とするデジタルカメラ。
【請求項５】
請求項２に記載のデジタルカメラにおいて、
前記制御手段は、操作者により、前記表示部に表示されたシンボルのうち開始と終了のシンボルが指定された場合には、当該開始と終了が指定されたシンボル間に対応する操作を順番に実行することを特徴とするデジタルカメラ。
【請求項６】
請求項２に記載のデジタルカメラにおいて、
前記記録された操作内容の順番は変更可能であることを特徴とするデジタルカメラ。
【請求項７】
請求項２に記載のデジタルカメラにおいて、
前記制御手段は、操作者の指示に応じて、一連の操作で前記表示部に表示されたシンボル群を纏めた特殊シンボルを生成して表示し、また、操作者により、当該特殊シンボルが指定された場合に、前記シンボル群に対応する操作を一括して実行することを特徴とするデジタルカメラ。
【発明の詳細な説明】
【０００１】
【発明の属する技術分野】
この発明は、デジタルカメラに関し、詳細には、操作内容に従って操作順序を表示部に順次表示するデジタルカメラに関する。
【０００２】
【従来の技術】
近時、デジタルカメラの高機能化が進行し、ＯＳを搭載したモデルも商品化されており、また、撮影した画像を加工したり、通信する機能を備えたものもある。かかる高機能化に伴い、操作キーの数や、液晶パネル上でのキーの操作回数が増え、利用者は操作が難しいという不満を持ったり、せっかく用意した機能が使わない事もある。
【０００３】
【発明が解決しようとする課題】
本発明は、上記に鑑みてなされてものであり、操作性を向上させたデジタルカメラを提供することを目的とする。
【０００４】
【課題を解決するための手段】
上述した課題を解決するために、請求項１の発明は、被写体を撮像して画像データを取得するデジタルカメラにおいて、操作者が操作指示を与えるための操作手段と、表示部の表示内容を制御する制御手段と、を備え、前記制御手段は、前記操作手段の操作内容に従って順次対応するシンボルを前記表示部に表示するとともに、当該操作内容の順番を記憶するものである。
【０００５】
また、請求項２の発明は、請求項１の発明において、前記制御手段は、操作者の指示に応じて、前記記憶した操作内容の順番で操作を実行するものである。
【０００６】
また、請求項３の発明は、請求項２の発明において、前記制御手段は、操作者により、前記表示部に表示されたシンボルのうち開始のシンボルが指定された場合には、当該開始が指定されたシンボルに対応する操作以降の操作を順番に実行するものである。
【０００７】
また、請求項４の発明は、請求項２の発明において、前記制御手段は、操作者により、前記表示部に表示されたシンボルのうち終了のシンボルが指定された場合には、当該終了が指定されたシンボルに対応する操作までの操作を順番に実行するものである。
【０００８】
また、請求項５の発明は、請求項２の発明において、前記制御手段は、操作者により、前記表示部に表示されたシンボルのうち開始と終了のシンボルが指定された場合には、当該開始と終了が指定されたシンボル間に対応する操作を順番に実行するものである。
【０００９】
また、請求項６の発明は、請求項２の発明において、前記記録された操作内容の順番は変更可能であることとした。
【００１０】
また、請求項７の発明は、請求項２の発明において、前記制御手段は、操作者の指示に応じて、一連の操作で前記表示部に表示されたシンボル群を纏めた特殊シンボルを生成して表示し、また、操作者により、当該特殊シンボルが指定された場合に、前記シンボル群に対応する操作を一括して実行するものである。
【００１１】
【発明の実施の形態】
以下に添付図面を参照して、この発明に係る好適な実施の形態を詳細に説明する。
【００１２】
図１は、本実施の形態に係るデジタルカメラの構成図である。同図において，１００はデジタルカメラを示しており、このデジタルカメラ１００は、レンズ、ＡＦ・絞り・フィルター機構を含むメカ機構１０１、ＣＣＤ１０２、ＣＤＳ回路１０３、Ａ／Ｄ変換器１０４、ＩＰＰ１０５、ＤＣＴ１０６、コーダー１０７、ＭＣＣ１０８、メモリカード１０９、ＬＣＤ１１０、コントローラ１１１、操作部１１２、液晶表示部１１３、リモコン１１４、マイク１１５、ＡＤＰＣＭ１１６、Ａｕｄｉｏ−ｏｕｔ１１７、ＶｉｄｅｏＳ−ｏｕｔ１１８、およびバッテリー１１９等により構成されている。
【００１３】
ＣＣＤ（電荷結合素子）１０２は，メカ機構１０１を介して入力した被写体像を電気信号（アナログ画像データ）に変換する。ＣＤＳ（相関２重サンプリング）回路１０３は，ＣＣＤ型撮像素子に対する低雑音化のための回路である。
【００１４】
Ａ／Ｄ変換器１０４は、ＣＤＳ回路１０３を介して入力したＣＣＤ１０２からのアナログ画像データをデジタル画像データに変換する。すなわち，ＣＣＤ１０２の出力信号は，ＣＤＳ回路１０３を介し，またＡ／Ｄ変換器１０４により，最適なサンプリング周波数（例えば，ＮＴＳＣ信号のサブキャリア周波数の整数倍）にてデジタル信号に変換される。
【００１５】
また，デジタル信号処理部であるＩＰＰ（Image Pre-Processor)１０５は、Ａ／Ｄ変換器１０４から入力したデジタル画像データについて，色差（Ｃｂ，Ｃｒ）と輝度（Ｙ）に分けて各種処理，補正および画像圧縮／伸長のためのデータ処理を施す。ＤＣＴ（Discrete Cosine Transform)１０６およびコーダー（Huffman Encoder/Decoder)１０７は，例えばＪＰＥＧ準拠の画像圧縮・伸長を行う。
【００１６】
さらに，ＭＣＣ（Memory Card Controller）１０８は，圧縮処理された画像を一旦蓄えてメモリカード１０９への記録，或いはメモリカード１０９からの読み出しを行う。
【００１７】
コントローラ１１１は，ＣＰＵ、ＲＯＭ、ＲＡＭ等からなり、ＣＰＵは、ＲＯＭに格納されたプログラムに従ってＲＡＭを作業領域として使用して、操作部１１２からの指示，或いはリモコン１１３等の外部動作指示に従い，上記デジタルカメラ内部の全動作を制御する。
【００１８】
また、コントローラ１１１は、操作部１１２の操作内容に応じたアイコン（シンボル）を液晶表示部１１３に表示する際に使用するアイコンテーブルを備えている。図２は、アイコンテーブルの一例を示す図である。かかるアイコンテーブルは、各操作内容に対応させてアイコンを格納している。コントローラ１１１は、操作部１１２の操作がなされると、アイコンテーブルを参照して、操作内容に対応したアイコンを読み出して液晶表示部１１３に表示する。
【００１９】
また、コントローラ１１１は、操作部１１２の操作順序を記録するための操作手順レジスタＲを備えている。図３は、操作手順レジスタＲの一例を示す図である。かかる操作手順レジスタＲには、操作部１１２の操作順に操作内容が順次格納される。同図は、操作部１１２で、再生→画像加工→記録→コマ送りの操作が行われた場合のデータの格納例を示している。コントローラ１１１は、この操作手順レジスタＲの内容を参照して、液晶表示部１１３のアイコンで指定される操作順で操作を実行する。
【００２０】
操作部１１２は、コントローラ１１１に動作指示を与えるためのものであり、レーリーズキーや、モード選択キー等の各種操作キーを備えている。液晶表示部１１３は、例えば、図４に示すように、操作部１１２の操作内容に応じたアイコンが表示され、また、各種選択キー（繰り返しキー２０１、開始指定キー２０２、終了指定キー２０３、一部繰り返しキー２０４、変更キー２０５、登録キー２０６、特殊アイコン生成キー２０７）を備え、選択キーを選択することにより、コントローラ１１１に操作指示を与えることができる。
【００２１】
また，カメラ電源は、バッテリ１１９，例えば，ＮｉＣｄ，ニッケル水素，リチウム電池等から当該デジタルカメラ内部に供給される。表示部１１０は、ＬＣＤ，ＬＥＤ，ＥＬ等で実現されており，撮像した画像データや，伸長処理された記録画像データを表示する。
【００２２】
一方、音声は、マイク１１５等の音声−電気信号変換素子により電気信号に変換されて音声データとなり、ＡＤＰＣＭ１１６により、圧縮・符号化処理される。上記したデジタルカメラ１００は、被写体を撮像して得られる画像データを直接、表示部１１０に表示するモニタリングモード、被写体を撮像して得られる画像データをメモリカード１０９に記録する記録モードと、メモリカード１０９に記録されている画像を表示する再生モード、メモリカード１０９に記録されている画像をＰＣ（パソコン）などに転送するＰＣモード等を備えている。
【００２３】
次ぎに、上記デジタルカメラのアイコン表示動作を図４〜図６を参照して説明する。図５はデジタルカメラのアイコン表示動作を説明するためのフローチャートを示す。図４及び図６は、液晶表示部１１３の画面のアイコン表示例を示す。
【００２４】
図５において、まず、コントローラ１１１は、ユーザによる操作部１１２の操作がある場合には（ステップＳ１００）、操作内容に対応するアイコンをアイコンテーブル（図２参照）から読み出し（ステップＳ１０１）、該操作内容に対応するアイコンを液晶表示部１１３の表示画面に表示する（ステップＳ１０２）。ここで、操作内容は、操作順に画面に表示される。そして、コントローラ１１２は、操作内容を操作手順レジスタＲ（図３参照）に格納する（ステップＳ１０３）。ここで、操作手順レジスタＲには、操作順に応じて操作内容が順次格納される。
【００２５】
例えば、図４は、再生モードで、再生（アイコン▲１▼に対応）→画像加工（アイコン▲２▼に対応）→＜モード選択＞→記録（アイコン▲３▼に対応）→コマ送り（アイコン▲４▼に対応）の操作がなされた場合の画面の表示例を示し、図３は、再生→画像加工→＜モード選択＞→記録→コマ送りの操作がなされた場合の操作手順レジスタＲに格納されるデータの例を示す。
【００２６】
そして、コントローラ１１１は、液晶表示部１１３の繰り返しキー２０１（図４参照）が選択されたか否かを判断し（ステップＳ１０４）、繰り返しキー２０１が選択されていない場合には、ステップＳ１０６に移行する一方、繰り返しキー２０１が選択された場合には、コントローラ１１１は、液晶表示部１１３に表示されたアイコンの順番で対応する操作を繰り返して実行する（ステップＳ１０５）。例えば、図４に示す例では、繰り返しキー２０１が選択されると、再生（アイコン▲１▼）→画像加工（アイコン▲２▼）→＜モード選択＞→記録（アイコン▲３▼）→コマ送り（アイコン▲４▼）の動作が行われる。
【００２７】
ステップＳ１０６では、コントローラ１１１は、液晶表示部１１３の開始指定キー２０２（図４参照）が選択されたか否かを判断し、開始指定キー２０２が選択されていない場合には、ステップＳ１０９に移行する一方、開始指定キー２０２が選択され、開始するアイコンが指定されると（ステップＳ１０７）、コントローラ１１１は、開始が指定されたアイコンから最後のアイコンに対応する操作を繰り返して行う（ステップＳ１０８）。例えば、図４に示す例では、開始指定キー２０２が選択され、▲２▼のアイコンが指定された場合には、画像加工（アイコン▲２▼）→＜モード選択＞→記録（アイコン▲３▼）→コマ送り（アイコン▲４▼）の動作が行われる。
【００２８】
ステップＳ１０９では、コントローラ１１１は、液晶表示部１１３の終了指定キー２０３が選択されたか否かを判断し、終了指定キー２０３が選択されていない場合には、ステップＳ１１２に移行する一方、終了指定キー２０３が選択され、終了のアイコンが指定されると、コントローラ１１１は、最初に表示されているアイコンから終了の指定されたアイコンに対応する操作を繰り返して行う（ステップＳ１０８）。例えば、図４に示す例では、終了指定キー２０３が選択され、▲３▼のアイコンが指定された場合には、再生（アイコン▲１▼）→画像加工（アイコン▲２▼）→＜モード選択＞→記録（アイコン▲３▼）の動作が行われる。
【００２９】
ステップＳ１１２では、コントローラ１１１は、液晶表示部１１３の一部繰り返しキー２０４が選択されたか否かを判断し、一部繰り返しキー２０４が選択されていない場合には、ステップＳ１１５に移行する一方、一部繰り返しキー２０４が選択され、開始のアイコンと終了のアイコンが指定されると（ステップＳ１１３）、コントローラ１１１は、開始のアイコンと終了のアイコンに対応する操作間の操作を繰り返し行う（ステップＳ１１４）。例えば、図４に示す例では、一部繰り返しキー２０４が選択され。開始のアイコンとして▲２▼が指定され、終了のアイコンとして▲３▼が指定された場合には、画像加工（アイコン▲２▼）→＜モード選択＞→記録（アイコン▲３▼）の動作が行われる。
【００３０】
ステップＳ１１５では、コントローラ１１１は、液晶表示部１１３の変更キー２０５が選択されたか否かを判断し、変更キー２０５が選択されていない場合には、ステップＳ１１８に移行する一方、変更キー２０５が選択され、アイコンの組み替え順が指定されると（ステップＳ１１６）、指定された組み替え順に画面のアイコンの表示を変更し、また、操作手順レジスタＲ（図３参照）の内容を指定された組み替え順に変更する。これにより、変更された順番で操作を繰り返して行ったり（上記ステップＳ１０４，Ｓ１０５）、一部繰り返し（上記ステップＳ１１２〜Ｓ１１４）等を行うことが可能となる。
【００３１】
ステップＳ１１８では、コントローラ１１１は、液晶表示部１１３の登録キー２０６が選択されたか否かを判断し、登録キー２０６が選択されない場合にはステップＳ１２０に移行する一方、登録キー２０６が選択された場合には、操作手順レジスタＲに格納された操作手順を不揮発性メモリ等に登録する（ステップＳ１１９）。この登録した操作手順は、ユーザの指示に応じて後から読み出すことができる。これにより、前回使用した操作手順を次回も使用することが可能となる。
【００３２】
ステップＳ１２０では、コントローラ１１１、液晶表示部１１３の特殊アイコン生成キー２０７が選択されたか否かを判断し、特殊アイコン生成キー２０７が選択されていない場合には、ステップＳ１２２に移行する一方、特殊アイコン生成キー２０７が選択された場合には、液晶表示部１１３に表示されたアイコン群を纏めた特殊アイコンを生成して表示するとともに、特殊アイコンをアイコンテーブル（図２参照）に格納する。この特殊アイコンを指定することで、画面に先に表示されていたアイコン群の動作を一括して実行することが可能となる。例えば、図４において、特殊アイコン生成キー２０７が選択された場合には、図６に示すような特殊アイコン▲５▼を生成して表示する。そして、この特殊アイコン▲５▼を選択することで、再生（アイコン▲１▼）→画像加工（アイコン▲２▼）→＜モード選択＞→記録（アイコン▲３▼）→コマ送り（アイコン▲４▼）の動作が行われる。また、この特殊アイコンは、ユーザの指示に応じて後から読み出すことができる。これにより、前回作成した特殊アイコンを次回も使用することが可能となる。
【００３３】
ステップＳ１２１では、コントローラ１１１は、操作部１１２のモードクリアキーが押下されたか否かを判断し、モードクリアキーが押下された場合には当該フローを終了する一方、モードクリアキーが押下されていない場合には、ステップＳ１００に戻り、ステップＳ１００〜ステップＳ１２１の処理を繰り返して行う。
【００３４】
以上説明したように、上記した実施の形態においては、操作内容に従って順次対応するアイコンを画面に表示するとともに、操作内容の順番を登録（記憶）することとしたので、操作者に操作の経過を認識させることができ、操作者の操作性を向上させることができる。
【００３５】
また、上記した実施の形態においては、操作者の指示に応じて（繰り返しキー２０１）、登録した順番で操作内容を実行させることこととしたので、記録された操作をその順番に繰り返し実行することができ、より操作者の操作性を向上させることができる。
【００３６】
また、上記した実施の形態においては、開始指定キー２０２を選択して、開始のアイコンを指定することにより、操作を途中から実行させることができ、より操作者の操作性を向上させることが可能となる。
【００３７】
また、上記した実施の形態においては、終了指定キー２０３を選択して、終了のアイコンを指定することにより、操作を途中まで実行させることができ、より操作者の操作性を向上させることが可能となる。
【００３８】
また、上記した実施の形態においては、一部繰り返しキー２０４を選択して、開始と終了のアイコンを指定することにより、開始と終了のアイコン間に対応する操作を実行させることができ、より操作者の操作性を向上させることが可能となる。
【００３９】
また、上記した実施の形態においては、変更キー２０５を選択して、アイコンの組み替え順を指定することにより、操作順を変更することができ、より操作者の操作性を向上させることができる。
【００４０】
また、上記した実施の形態においては、特殊アイコン生成キー２０７を選択して、一連の操作で画面に表示されたアイコン群を纏めた特殊アイコンを生成して表示するとともに、当該特殊アイコンを指定することにより、先に画面に表示されたアイコン群に対応する操作を一括して実行することができ、より操作者の操作性を向上させることができる。
【００４１】
なお、本発明は上記した実施の形態に限定されるものではなく、発明の要旨を変更しない範囲で適宜変形して実行可能である。
【００４２】
【発明の効果】
請求項１の発明によれば、操作手段の操作内容に従って順次対応するシンボルを表示部に表示するとともに、当該操作内容の順番を記憶することとしたので、操作者に操作の経過を認識させることができ、操作者の操作性を向上させることが可能となる。
【００４３】
請求項２の発明によれば、請求項１の発明において、操作者の指示に応じて、記憶した操作内容の順番で操作を実行することとしたので、記録された操作をその順番に繰り返し実行することができ、より操作者の操作性を向上させることが可能となる。
【００４４】
請求項３の発明によれば、請求項２の発明において、操作者により、表示部に表示されたシンボルのうち開始のシンボルが指定された場合には、当該開始が指定されたシンボルに対応する操作以下の操作を順番に実行することとしたので、操作を途中から実行させることができ、より操作者の操作性を向上させることが可能となる。
【００４５】
請求項４の発明によれば、請求項２の発明において、操作者により、表示部に表示されたシンボルのうち終了のシンボルが指定された場合には、当該終了が指定されたシンボルに対応する操作までの操作を順番に実行することとしたので、操作を途中まで実行させることができ、より操作者の操作性を向上させることが可能となる。
【００４６】
請求項５の発明によれば、請求項２の発明において、操作者により、表示部に表示されたシンボルのうち開始と終了のシンボルが指定された場合には、当該開始と終了が指定されたシンボル間に対応する操作を順番に実行することとしたので、開始と終了のシンボル間に対応する操作を実行させることができ、より操作者の操作性を向上させることが可能となる。
【００４７】
請求項６の発明によれば、請求項２の発明において、記録された操作内容の順番は変更可能であることとしたので、操作順を変更することができ、より操作者の操作性を向上させることが可能となる。
【００４８】
請求項７の発明によれば、請求項２の発明において、操作者の指示に応じて、一連の操作で表示部に表示されたシンボル群を纏めた特殊シンボルを生成して表示し、また、操作者により、当該特殊シンボルが指定された場合に、当該シンボル群に対応する操作を一括して実行することとしたので、先に画面に表示されたアイコン群に対応する操作を一括して実行することができ、より操作者の操作性を向上させることが可能となる。
【図面の簡単な説明】
【図１】この発明に係るデジタルカメラの一実施の形態を示すブロック図である。
【図２】アイコンテーブルの一例を示す図である。
【図３】操作手順レジスタの一例を示す図である。
【図４】液晶表示部の表示例を示す図である。
【図５】デジタルカメラのアイコン表示動作を説明するためのフローチャートである。
【図６】液晶表示部の表示例を示す図である。
【符号の説明】
１００    デジタルカメラ
１０１    メカ機構
１０２    ＣＣＤ
１０３    ＣＤＳ回路
１０４    Ａ／Ｄ変換器
１０５    ＩＰＰ
１０６    ＤＣＴ
１０７    コーダー
１０８    ＭＣＣ
１０９    メモリカード
１１０    ＬＣＤ
１１１    コントローラ
１１２    操作部
１１３    液晶表示部
１１４    リモコン
１１５    マイク
１１６    ＡＤＰＣＭ
１１７    Ａｕｄｉｏ−ｏｕｔ
１１８    ＶｉｄｅｏＳ−ｏｕｔ
１１９    バッテリー
【図１】
0004080634.tif 000002
【図２】
0004080634.tif 000003
【図３】
0004080634.tif 000004
【図４】
0004080634.tif 000005
【図５】
0004080634.tif 000006
【図６】
0004080634.tif 000007